(57)【要約】【課題】新たな部品の追加を抑制でき、且つ、過酷な温度環境においても乗員室と荷室ボードの下方との温度差を利用して、乗員室の気温を調整することのできる車両の空調装置を提供する。【解決手段】走行用モータ（８）と、バッテリ（２０）と、バッテリファン（２１）と、充電器（１０）と、荷室ボード（４）によって底が仕切られた荷室（５）と、を有する電動車両に搭載される電動車両の空調装置である。そして、荷室ボード（４）の下方に設けられた充電器の配置部（１０Ａ）と、電動車両の外部から配置部（１０Ａ）に通じる吸気通路と、配置部（１０Ａ）から電動車両の乗員室（９）に通じるエアダクト（１３）と、バッテリファン（２１）と独立して駆動可能であり充電器（１０）を冷却する充電器ファン（１１）とを備え、充電器ファン（１１）は、充電器（１０）を冷却する空気を、エアダクト（１３）を通して乗員室（９）へ送るように構成される。【選択図】図１
2018034568.tif 000002
【特許請求の範囲】
【請求項１】
走行用モータと、前記走行用モータに電力を供給するバッテリと、前記バッテリを冷却するバッテリファンと、前記バッテリに充電電流を出力する充電器と、荷室ボードによって底が仕切られた荷室と、を有する電動車両に搭載される電動車両の空調装置であって、
前記荷室ボードの下方に設けられた前記充電器の配置部と、
前記電動車両の外部から前記配置部に通じる吸気通路と、
前記配置部から前記電動車両の乗員室に通じるエアダクトと、
前記バッテリファンと独立して駆動可能であり前記充電器を冷却する充電器ファンと、
を備え、
前記充電器ファンは、前記充電器を冷却する空気を、前記エアダクトを通して前記乗員室へ送るように構成されることを特徴とする電動車両の空調装置。
【請求項２】
前記配置部は、前記バッテリが収容されるバッテリ収容部に隣接し、
前記吸気通路の一部が前記バッテリ収容部に接していることを特徴とする請求項１記載の電動車両の空調装置。
【請求項３】
前記荷室ボードの下方の温度を検知する温度センサと、
前記乗員室の温度の信号を入力する信号入力部と、
前記充電器ファンを駆動する制御部と、
を備え、
前記制御部は、前記充電器が作動しない期間、前記温度センサの信号および前記信号入力部に入力された信号に基づいて、前記充電器ファンを駆動することを特徴とする請求項１又は請求項２記載の電動車両の空調装置。
【請求項４】
前記制御部は、前記荷室ボードの下方と前記乗員室とに所定の閾値以上の温度差があり、且つ、前記荷室ボードの下方の方が標準気温に近い場合に、前記充電器ファンを駆動することを特徴とする請求項３記載の電動車両の空調装置。
【発明の詳細な説明】
【技術分野】
【０００１】
本発明は、電動車両の空調装置に関する。
【背景技術】
【０００２】
自動車の乗員室は、夏の炎天下で駐車をしていると６０℃〜７０℃などの過酷な温度になることがある。特に日差しの強い季節又は地域では７０℃を超える場合もある。また、極寒の地域および季節では、自動車の乗員室は−４０℃近くまで低温になることがある。
【０００３】
通常、自動車には、冷媒を用いて乗員室の冷暖房を行う空調装置が備わっている。しかし、冷媒を用いた空調装置は、環境温度に依存して空調能力が上下する。また、自動車には高温のエンジン冷却水を用いて乗員室の暖房を行う空調装置が備わっている。しかし、エンジン冷却水はエンジンを始動しないと高温にならない。このため、過酷な温度環境では、自動車の空調装置を始動しても速やかな冷房又は暖房の能力が得られない場合がある。
【０００４】
従来、乗員室が過酷な温度になった場合、乗員は、熱い場合には窓を開けて換気を行ったり、寒い場合には電気ヒータを付けたりして、乗員室に入ることのできる温度になるまで別の所で待機することがあった。
【０００５】
また、本発明に関連する従来技術として、特許文献１から特許文献３には、走行用モータの電源であるバッテリを搭載した電動車両において、バッテリの冷却ファンの送風を乗員室に送って、乗員室の冷暖房を補助する技術が示されている。
【先行技術文献】
【特許文献】
【０００６】
【特許文献１】特開２０１３−２２４１０５号公報
【特許文献２】特開２０１０−０４７２２２号公報
【特許文献３】特開２００５−２６２８９７号公報
【発明の概要】
【発明が解決しようとする課題】
【０００７】
本発明者らは、乗員室が過酷な温度になったときに、これを速やかに解消することができないか検討した。検討の過程において、乗員室が過酷な温度になるような環境でも、荷室ボードで仕切られた荷室の下方の温度が、比較的に中庸な温度に維持される場合があることを、本発明者らは見出した。
【０００８】
このような見地から、特許文献１から特許文献３の技術を用いて、荷室ボードの下方の空間から乗員室へ空気を送ることで、乗員室の過酷な温度を緩和できるのではないかと考えられた。具体的には、荷室ボードの下方の空間にバッテリを配置し、バッテリの冷却ファンによって荷室ボードの下方の空気が乗員室に送られるように構成する。
【０００９】
自動車の分野では、新たな部品の追加は、部品の取付けスペースの確保が必要となり、さらに部品コストが上がる。従って、他の部品を流用して同じ機能が得られるならば、新たな部品の追加は無い方が好ましい。
【００１０】
しかしながら、バッテリの冷却ファンを利用して荷室ボードの下方の空気を乗員室に送る構成では、乗員室が過酷な温度になるような状況において、その温度を緩和することに役立てることができないことが判明した。なぜならば、バッテリには、大きな劣化を防ぐための使用温度範囲が定められている。乗員室が過酷な温度になるような環境では、冷却ファンを動作させるとかえってバッテリの温度を使用温度範囲から遠ざけてしまうことが多い。従って、このような温度環境では、多くの場合、バッテリの冷却ファンを駆動することができない。
【００１１】
本発明は、新たな部品の追加を抑制でき、且つ、過酷な温度環境においても乗員室と荷室ボードの下方との温度差を利用して、乗員室の気温を調整することのできる車両の空調装置を提供することを目的とする。
【課題を解決するための手段】
【００１２】
請求項１に記載の発明は、
走行用モータと、前記走行用モータに電力を供給するバッテリと、前記バッテリを冷却するバッテリファンと、前記バッテリに充電電流を出力する充電器と、荷室ボードによって底が仕切られた荷室と、を有する電動車両に搭載される電動車両の空調装置であって、
前記荷室ボードの下方に設けられた前記充電器の配置部と、
前記電動車両の外部から前記配置部に通じる吸気通路と、
前記配置部から前記電動車両の乗員室に通じるエアダクトと、
前記バッテリファンと独立して駆動可能であり前記充電器を冷却する充電器ファンと、
を備え、
前記充電器ファンは、前記充電器を冷却する空気を、前記エアダクトを通して前記乗員室へ送るように構成されることを特徴としている。
【００１３】
請求項２に記載の発明は、請求項１記載の電動車両の空調装置において、
前記配置部は、前記バッテリが収容されるバッテリ収容部に隣接し、
前記吸気通路の一部が前記バッテリ収容部に接していることを特徴としている。
【００１４】
請求項３に記載の発明は、請求項１又は請求項２記載の電動車両の空調装置において、
前記荷室ボードの下方の温度を検知する温度センサと、
前記乗員室の温度の信号を入力する信号入力部と、
前記充電器ファンを駆動する制御部と、
を備え、
前記制御部は、前記充電器が作動しない期間、前記温度センサの信号および前記信号入力部に入力された信号に基づいて、前記充電器ファンを駆動することを特徴としている。
【００１５】
請求項４に記載の発明は、請求項３記載の電動車両の空調装置において、
前記制御部は、前記荷室ボードの下方と前記乗員室とに所定の閾値以上の温度差があり、且つ、前記荷室ボードの下方の方が標準気温に近い場合に、前記充電器ファンを駆動することを特徴としている。
【発明の効果】
【００１６】
本発明の電動車両の空調装置によれば、荷室ボードの下方に充電器の配置部が設けられ、さらに、配置部から乗員室へ通じるエアダクトが設けられている。従って、充電器ファンにより荷室ボードの下方の中庸な温度の空気を、エアダクトを介して乗員室へ送ることができる。充電器ファンの駆動条件は、バッテリファンの駆動条件よりも大幅に制限が少ない。よって、乗員室が過酷な温度であり、バッテリファンを駆動できないような温度環境であっても、充電器ファンを駆動することができる。従って、本発明の電動車両の空調装置によれば、新たな部品の追加を抑制しつつ、乗員室と荷室ボードの下方との温度差を利用して、乗員室の気温を調整することができる。
【図面の簡単な説明】
【００１７】
【図１】本発明に係る実施形態の空調装置が搭載された電動車両を示す概略図である。
【図２】図１の空調装置の制御系を示すブロック図である。
【図３】バッテリファンの駆動条件を示すグラフである。
【図４】充電器ファン駆動処理の手順の一例を示すフローチャートである。
【発明を実施するための形態】
【００１８】
以下、本発明の実施の形態について図面を参照して詳細に説明する。
【００１９】
図１は、本発明に係る実施形態の空調装置が搭載された電動車両を示す概略図である。図２は、空調装置の制御系を示すブロック図である。
【００２０】
本実施形態の空調装置が搭載される電動車両１は、電気で走行可能な電気自動車（Electric Vehicle：ＥＶ）、或いは、ハイブリッド電気自動車（Hybrid Electric Vehicle：ＨＥＶ）などである。電動車両１は、充電口２、エアコン３、荷室ボード４、荷室５、荷室下空間６、走行用モータ８、乗員室９、充電器１０、エアダクト１３、およびバッテリ２０を備えている。
【００２１】
充電口２は、電動車両１の外部から充電用のコネクタ（充電ガン、充電フラグなど）を接続可能な機器である。充電口２と充電器１０とはケーブルを介して接続されている。充電口２を介して外部電源から充電器１０へ充電用の電力を送ることができる。
【００２２】
エアコン３は、冷媒を用いて乗員室９の冷房と暖房とを行う装置であり、図２に示すように、空調制御を行うエアコンＥＣＵ（電子制御ユニット）３Ａを有している。エアコンＥＣＵ３Ａは、乗員室９の温度センサから信号が入力されて乗員室９の温度情報を取得できる。
【００２３】
荷室ボード４は、電動車両後部の荷室５の底を仕切る板材である。
【００２４】
荷室５は、荷物を置くスペースであり、乗員室９の後方に設けられている。本実施形態では、荷室５と乗員室９とが連通した構成を採用しているが、荷室５は乗員室９から遮られた構成としてもよい。この場合、後述のエアダクト１３の排気口１３ａは、乗員室９に開口するように設ければよい。
【００２５】
荷室下空間６には、充電器１０、サスペンション機構、動力伝達装置の一部などが配置されている。荷室下空間６は下面がアンダーパネルにより覆われていてもよい。このような構成により、荷室下空間６には、充電器１０の配置部１０Ａから、各機構の部材間およびアンダーパネルの開口部等を通じて、電動車両１の下方から外部に通じる幾つもの空気通路が形成される。
【００２６】
走行用モータ８は動力伝達装置を介して電動車両１の車輪を回転駆動する。
【００２７】
バッテリ２０は、例えば大容量のリチウムイオン電池などの二次電池である。バッテリ２０は、複数のセルが直列に接続され、走行用モータ８にインバータ回路などを介して高電圧で大電流の電力を出力できる。バッテリ２０は、充電時と放電時とに発熱する特性を有する。バッテリ２０は、例えば、荷室下空間６および乗員室の下方に設けられたバッテリ収容部２０Ａに収容されている。
【００２８】
バッテリ２０には、さらにバッテリファン２１が付属されている。また、図２に示すように、電動車両１には、バッテリファン制御部２５、バッテリ温度センサ２６、および、吸気温度センサ２７が設けられている。バッテリファン２１およびこれらの構成要素は、バッテリ２０と共にユニット化された構成としてもよい。
【００２９】
バッテリファン２１は、バッテリ２０の複数のセルを冷却するファンである。バッテリ温度センサ２６は、複数のセルの温度を検知して、この温度を示すバッテリ温度信号をバッテリファン制御部２５へ出力する。吸気温度センサ２７は、バッテリファン２１の吸気となるバッテリ２０の周辺の空気の温度を検知して、この温度を示す吸気温度信号をバッテリファン制御部２５へ出力する。バッテリファン制御部２５は、制御回路であり、これらの信号に基づいてバッテリファン２１を駆動又は停止する。
【００３０】
充電器１０は充電口２から供給された電力によってバッテリ２０を充電する。充電器１０は、バッテリ２０の充電電流および充電電圧の監視および制御を行う。対応可能な外部電源の種類によっては、充電器１０は、充電口２から入力された外部電源の電圧を充電電圧に変換するコンバータ回路を備えていてもよい。充電器１０は、パワー半導体を有する回路を有し、パワー半導体を駆動して高電圧で大電流の充電電流を制御する。このため、充電器１０の回路は、充電時に発熱する性質を有する。充電器１０は、荷室下空間６に設けられた配置部１０Ａに取り付けられている。
【００３１】
充電器１０には、さらに充電器ファン１１が付属されている。また、図２に示すように、電動車両１には、充電器ファン制御部１５、および温度センサ１２が設けられている。充電器ファン１１およびこれらの構成要素は、充電器１０と共にユニット化された構成としてもよい。充電器ファン制御部１５は、本発明に係る制御部の一例に相当する。
【００３２】
充電器ファン１１は、充電器１０を冷却するファンである。温度センサ１２は、荷室ボード４の下方の温度を検出するセンサ（例えばサーミスタ）である。充電器ファン制御部１５は、複数の信号入力部１５ａ〜１５ｃを有し、温度センサ１２から荷室ボード下温度信号と、充電器１０から充電中であることを示す作動信号と、エアコンＥＣＵ３Ａから乗員室の温度を示す乗員室温度信号とを、それぞれ入力する。充電器ファン制御部１５は、制御回路であり、これらの信号に基づいて充電器ファン１１を駆動又は停止する。
【００３３】
エアダクト１３は、荷室下空間６と乗員室９とを連通するダクトである。エアダクト１３の吸気口は、充電器ファン１１の風圧が加わるように設けられている。このような構成は、例えば充電器ファン１１をシロッコファンにより構成し、充電器ファン１１をエアダクト１３の途中に設けるなどにより容易に実現できる。エアダクト１３の排気口１３ａは、乗員室９に通じる荷室５に開口している。
【００３４】
本実施形態の電動車両１の空調装置は、上述した構成のうち、充電器ファン１１、エアダクト１３、エアダクト１３に通じる配置部１０Ａ、荷室下空間６の吸気通路、充電器ファン制御部１５、および温度センサ１２を含む構成部分を指す。
【００３５】
＜動作説明＞
本実施形態においては、バッテリファン制御部２５の制御によってバッテリファン２１が駆動又は停止される。
【００３６】
図３は、バッテリファンの駆動条件を示すグラフである。バッテリファン２１は、図３に示すように、バッテリ２０のセルの温度（図中、「バッテリ温度」と記す）と、吸気温度とに基づいて、駆動される温度環境が制限される。このような駆動制御によって、バッテリ２０が大きく劣化する温度になることが避けられる。従って、例えば、炎天下の駐車により乗員室９が非常に高温になる一方、荷室下空間６が比較的に中庸な温度に保たれているような状況では、上記の制限によってバッテリファン２１を駆動できない場合が多い。
【００３７】
一方、充電器ファン制御部１５は、充電器ファン駆動処理によって、バッテリファン２１と独立して充電器ファン１１を駆動又は停止する。
【００３８】
図４は、充電器ファン駆動処理の手順の一例を示すフローチャートである。この駆動制御は、充電器ファン制御部１５によって、電動車両１のシステム始動後、例えば短い周期ごとに繰り返し実行される。電動車両１のシステム始動中とは、例えばパワースイッチのオン操作後など、電動車両１のメインのＥＣＵに電源電圧が供給されている状態を意味する。
【００３９】
駆動処理が開始されると、充電器ファン制御部１５は、充電器１０が作動しているか判別する（ステップＳ１）。判別の結果、作動していればステップＳ６に移行し、充電器ファン１１を駆動する（ステップＳ６）。なお、ステップＳ６において充電器ファン１１が既に駆動中である場合には、充電器ファン制御部１５はこの駆動を継続させる。
【００４０】
一方、ステップＳ１の判別の結果、充電器１０が作動していなければ、充電器ファン制御部１５は、荷室ボード下温度信号と乗員室温度信号とに基づき、乗員室９と荷室下空間６との温度差Ｔｄｉｆｆを計算する（ステップＳ２）。さらに、充電器ファン制御部１５は、乗員室９の温度と所定の標準気温との差Ｔ１、ならびに、荷室下空間６の温度と所定の標準気温との差Ｔ２を計算する（ステップＳ３、Ｓ４）。標準気温とは、人が快適と感じる室内の標準気温を意味する。
【００４１】
次いで、充電器ファン制御部１５は、温度差Ｔｄｉｆｆが所定の閾値以上であり、且つ、標準気温との差Ｔ１、Ｔ２が乗員室９の方が大きいか否かを判別する（ステップＳ５）。その結果、ＹＥＳであれば充電器ファン制御部１５は、充電器ファン１１を駆動し（ステップＳ６）、ＮＯであれば充電器ファン１１を停止する（ステップＳ７）。なお、ステップＳ６において充電器ファン１１が既に駆動中である場合には、充電器ファン制御部１５はこの駆動を継続させる。また、ステップＳ７において充電器ファン１１が既に停止中である場合には、充電器ファン制御部１５はこの停止を継続させる。
【００４２】
ステップＳ６又はステップＳ７の処理が実行されたら、１回の充電器ファン駆動処理が終了し、次の周期で、再び充電器ファン駆動処理が開始される。
【００４３】
このような制御処理によれば、例えば、炎天下の駐車で乗員室９が過酷な温度となり、荷室下空間６が中庸な温度に維持されているような状況において、電動車両１をシステム始動すると、充電器１０が作動していなくても、充電器ファン１１が駆動される。充電器ファン１１が駆動すると、荷室下空間６の中庸な温度の空気が乗員室９へ送られる。また、荷室下空間６に設けられた前述の空気通路を吸気通路として、電動車両１の下方から空気が吸われ、この空気が荷室下空間６の機構に接触することで中庸な温度になり、乗員室９へ送られる。図１には、このような空気の流れが白矢印により示されている。このような空気の流れによって、乗員室９の過酷な温度が比較的に速やかに緩和される。
【００４４】
また、寒冷地において乗員室９の温度が非常に低くなっており、バッテリ２０の電力消費或いは充電がなされてバッテリ２０が発熱しているような状況では、荷室下空間６の温度が乗員室９に比べて中庸な温度になる。上記の制御処理によれば、このような場合に、充電器１０が作動していなくても、充電器ファン１１が駆動される。充電器ファン１１が駆動すると、荷室下空間６の中庸な温度の空気が乗員室９へ送られる。また、荷室下空間６に設けられた前述の空気通路を吸気通路として空気が吸われ、このうちバッテリ収容部２０Ａに沿って流れる空気が、バッテリ２０の排熱により温められて中庸な温度になり、乗員室９へ送られる。そして、このような空気の流れによって、乗員室９の過酷な温度が比較的に速やかに緩和される。
【００４５】
以上のように、本実施形態の電動車両の空調装置によれば、荷室ボード４の下方に充電器１０の配置部１０Ａが設けられ、さらに、配置部１０Ａから乗員室９へ通じるエアダクト１３が設けられている。従って、乗員室９の温度が過酷な状況で、充電器ファン１１により荷室下空間６の中庸な温度の空気を、エアダクト１３を介して乗員室９へ送ることができる。充電器ファン１１の駆動条件は、バッテリファン２１の駆動条件よりも大幅に制限が少ないため、バッテリファン２１を駆動できないような温度環境であっても、充電器ファン１１を駆動することができる。従って、新たな部品の追加を抑制しつつ、乗員室９と荷室下空間６との温度差を利用して、乗員室９の気温を調整することができる。
【００４６】
また、本実施形態の電動車両の空調装置によれば、充電器１０の配置部１０Ａが、バッテリ収容部２０Ａに隣接し、充電器ファン１１の吸気通路の一部がバッテリ収容部２０Ａに接するように構成されている。このため、バッテリ２０の放電或いは充電によりバッテリ２０が発熱している場合に、この発熱により温められた空気を、充電器ファン１１の駆動により乗員室９へ送ることができる。従って、乗員室９が非常に低い温度の場合に、温められた空気によって、乗員室９の低い温度を緩和することができる。
【００４７】
また、本実施形態の電動車両の空調装置によれば、充電器ファン制御部１５は、充電器１０が作動しない期間、乗員室９の温度と荷室下空間６の温度とに基づいて充電器ファン１１の駆動を制御する。さらに、乗員室９と荷室下空間６とに閾値以上の温度差があり、且つ、荷室下空間６の方が標準気温に近い場合に、充電器ファン制御部１５は充電器ファン１１の駆動を駆動する。従って、乗員室９と荷室下空間６との温度差を利用して乗員室９の温度を緩和できる状況において、充電器ファン１１を有効に駆動することができる。
【００４８】
以上、本発明の実施形態について説明した。しかし、本発明は、上記の実施形態に限られるものではない。例えば、本実施形態においては、充電器１０は、充電口２を介して入力される外部電源に基づきバッテリ２０の充電を行う構成と説明した。しかし、本発明に係る充電器は、電動車両１の制動時に回生エネルギによってバッテリ２０に充電を行う構成としてもよい。また、本発明に係る充電器は、エンジンを搭載したハイブリッド電気自動車において、エンジンの運動エネルギによってバッテリ２０に充電を行う構成としてもよい。なお、このような構成では、乗員室９が適度な温度であっても電動車両１の運転時に充電器１０が作動して充電器ファン１１が駆動する場合がある。このため、エアダクト１３を開閉式に構成して、充電器１０の作動時に乗員室９の温度が適正な場合に、エアダクト１３を閉じて充電器ファン１１の送風が他へ抜けるように構成してもよい。
【００４９】
また、上記実施形態では、バッテリ収容部２０Ａを充電器１０の配置部１０Ａに隣接する位置に設けた。しかし、バッテリ収容部２０Ａは充電器１０と離れて設けられていてもよい。その他、実施形態で示した細部は、発明の趣旨を逸脱しない範囲で適宜変更可能である。
【符号の説明】
【００５０】
１  電動車両
２  充電口
３  エアコン
３Ａ  エアコンＥＣＵ
４  荷室ボード
５  荷室
６  荷室下空間
８  走行用モータ
９  乗員室
１０  充電器
１０Ａ  配置部
１１  充電器ファン
１２  温度センサ
１３  エアダクト
１３ａ  排気口
１５  充電器ファン制御部
１５ａ〜１５ｃ  信号入力部
２０  バッテリ
２０Ａ  バッテリ収容部
２１  バッテリファン
２５  バッテリファン制御部
【図１】
2018034568.tif 000003
【図２】
2018034568.tif 000004
【図３】
2018034568.tif 000005
【図４】
2018034568.tif 000006